(57)【要約】【課題】遷移する操作画面に応じたヘルプを自動的に表示するヘルプ表示制御装置を提供する。【解決手段】画像読取装置１は、情報表示媒体から光学的に画像データを読み取る画像読取部７と、ユーザの入力を受け付けるための操作画面を表示する操作画面表示部１０４と、操作画面表示部１０４により表示された操作画面に応じて、この操作画面に関するヘルプを、この操作画面と同時に視認できる表示態様で表示するヘルプ画面表示部１１４とを有してなる。【選択図】図１
2011248481.tif 000002
【特許請求の範囲】
【請求項１】
情報表示媒体から光学的に画像データを読み取る画像読取部と、
前記画像読取部による画像読取処理に関してユーザの入力を受け付けるための操作画面を表示する操作画面表示部と、
前記操作画面表示部により表示された操作画面に応じて、この操作画面に関するヘルプを、この操作画面と同時に視認できる形態で表示するヘルプ画面表示部と
を有する画像読取装置。
【請求項２】
前記ヘルプ画面表示部は、前記操作画面表示部により表示された操作画面の画面遷移を契機にして、遷移した操作画面に関するヘルプの表示に切り替える
請求項１に記載の画像読取装置。
【請求項３】
前記操作画面表示部により表示される各操作画面の表示回数、又は、前記ヘルプ画面表示部により表示される各ヘルプ画面の表示回数をカウントするカウント部
をさらに有し、
前記ヘルプ画面表示部は、前記カウント部によりカウントされた表示回数に応じて、表示されるヘルプの表示サイズを変更する
請求項１に記載の画像読取装置。
【請求項４】
情報表示媒体から光学的に画像データを読み取る画像読取部と、
前記画像読取部による画像読取処理に関して、ユーザの入力を受け付けるために、互いに関連付けられた一連の操作画面を表示する操作画面表示部と、
前記操作画面表示部により表示された操作画面に応じて、この操作画面に関連付けられた他の操作画面を参照画面として表示する参照画面表示部と
を有し、
前記参照画面が、この操作画面と同時に視認できる形態で表示される
画像読取装置。
【請求項５】
画像データを印刷する印刷部と、
前記印刷部による印刷処理に関してユーザの入力を受け付けるための操作画面を表示する操作画面表示部と、
前記操作画面表示部により表示された操作画面に応じて、この操作画面に関するヘルプを、この操作画面と同時に視認できる形態で表示するヘルプ画面表示部と
を有する画像印刷装置。
【請求項６】
ユーザの入力を受け付けるための操作画面を表示する操作画面表示部と、
前記操作画面表示部により表示された操作画面に応じて、この操作画面に関するヘルプを、この操作画面と同時に視認できる形態で表示するヘルプ画面表示部と
を有するヘルプ表示制御装置。
【請求項７】
ユーザの入力を受け付けるための操作画面を表示する操作画面表示機能と、
前記操作画面表示機能により表示された操作画面に応じて、この操作画面に関するヘルプを、この操作画面と同時に視認できる形態で表示するヘルプ表示機能と
をコンピュータに実現させるプログラム。
【請求項８】
ユーザの入力を受け付けるための操作画面を表示する操作画面表示ステップと、
前記操作画面表示ステップにより表示された操作画面に応じて、この操作画面に関するヘルプを、この操作画面と同時に視認できる形態で表示するヘルプ表示ステップと
を有するヘルプ表示制御方法。
【発明の詳細な説明】
【技術分野】
【０００１】
本発明は、ヘルプ表示制御装置に関するものである。
【背景技術】
【０００２】
例えば、特許文献１には、画面上に表示データをマルチウインドウで表示するための表示制御装置において、該画面上に第１のウインドウを表示するための第１のウインドウ表示制御部と、該画面上に第２のウインドウを表示するための第２のウインドウ表示制御部とがそなえられ、該第１のウインドウ表示制御部が、該第１のウインドウ内でカーソルの位置する部分に表示された表示データについて予め定義されている参照情報の表示を該第２のウインドウ表示制御部に対して要求し、該第２のウインドウ表示制御部が、該参照情報を該画面上の該第２のウインドウ内に表示する表示制御装置が開示されている。
また、例えば、特許文献２には、物理画面上の表示領域内に第１表示領域を設定し、前記表示領域内の前記第１表示領域以外の領域に第２表示領域を設定する表示領域設定手段と、作業対象として選択されているアクティブな画面を前記第１表示領域内に表示し、それ以外のアクティブでない画面全てを、相互に重ならないように前記第２表示領域内に表示する表示制御手段と、を有するマルチ画面表示制御装置が開示されている。
【先行技術文献】
【特許文献】
【０００３】
【特許文献１】特開平８−１３７６５４号公報
【特許文献２】特開平９−１２８１９２号公報
【発明の概要】
【発明が解決しようとする課題】
【０００４】
本発明は、遷移する操作画面に応じたヘルプを自動的に表示するヘルプ表示制御装置を提供する。
【課題を解決するための手段】
【０００５】
本発明に係る画像読取装置は、情報表示媒体から光学的に画像データを読み取る画像読取部と、前記画像読取部による画像読取処理に関してユーザの入力を受け付けるための操作画面を表示する操作画面表示部と、前記操作画面表示部により表示された操作画面に応じて、この操作画面に関するヘルプを、この操作画面と同時に視認できる形態で表示するヘルプ画面表示部とを有する。
好適には、前記ヘルプ画面表示部は、前記操作画面表示部により表示された操作画面の画面遷移を契機にして、遷移した操作画面に関するヘルプの表示に切り替える。
好適には、前記操作画面表示部により表示される各操作画面の表示回数、又は、前記ヘルプ画面表示部により表示される各ヘルプ画面の表示回数をカウントするカウント部をさらに有し、前記ヘルプ画面表示部は、前記カウント部によりカウントされた表示回数に応じて、表示されるヘルプの表示サイズを変更する。
【０００６】
また、本発明に係る画像読取装置は、情報表示媒体から光学的に画像データを読み取る画像読取部と、前記画像読取部による画像読取処理に関して、ユーザの入力を受け付けるために、互いに関連付けられた一連の操作画面を表示する操作画面表示部と、前記操作画面表示部により表示された操作画面に応じて、この操作画面に関連付けられた他の操作画面を参照画面として表示する参照画面表示部とを有し、前記参照画面が、この操作画面と同時に視認できる形態で表示される。
また、本発明に係る画像印刷装置は、画像データを印刷する印刷部と、前記印刷部による印刷処理に関してユーザの入力を受け付けるための操作画面を表示する操作画面表示部と、前記操作画面表示部により表示された操作画面に応じて、この操作画面に関するヘルプを、この操作画面と同時に視認できる形態で表示するヘルプ画面表示部とを有する。
【０００７】
また、本発明に係るヘルプ表示制御装置は、ユーザの入力を受け付けるための操作画面を表示する操作画面表示部と、前記操作画面表示部により表示された操作画面に応じて、この操作画面に関するヘルプを、この操作画面と同時に視認できる形態で表示するヘルプ画面表示部とを有する。
【０００８】
また、本発明に係るプログラムは、ユーザの入力を受け付けるための操作画面を表示する操作画面表示機能と、前記操作画面表示機能により表示された操作画面に応じて、この操作画面に関するヘルプを、この操作画面と同時に視認できる形態で表示するヘルプ表示機能とをコンピュータに実現させる。
【０００９】
また、本発明に係るヘルプ表示制御方法は、ユーザの入力を受け付けるための操作画面を表示する操作画面表示ステップと、前記操作画面表示ステップにより表示された操作画面に応じて、この操作画面に関するヘルプを、この操作画面と同時に視認できる形態で表示するヘルプ表示ステップとを有する。
【発明の効果】
【００１０】
本発明によれば、遷移する操作画面に応じたヘルプを自動的に表示することができる。
【図面の簡単な説明】
【００１１】
【図１】画像読取装置１の模式図である。
【図２】ヘルプ表示制御プログラム１００の機能構成を例示する図である。
【図３】ヘルプマップＤＢ１１０を例示する図である。
【図４】ヘルプ情報ＤＢ１１２を例示する図である。
【図５】ヘルプ表示制御処理Ｓ１０のフローチャートである。
【図６】画像読取装置１により表示される画面の遷移を説明する図である。
【図７】変形例２における、ヘルプ表示制御プログラム２００及びリモート端末プログラム３００の機能構成を例示する図である。
【図８】変形例３における、画像読取装置１により表示される画面の遷移を説明する図である。
【図９】変形例４における、ヘルプ表示制御プログラム５００の機能構成を例示する図である。
【図１０】カウントＤＢ５１８を例示する図である。
【図１１】変形例４における、画像読取装置１により表示される画面の遷移を説明する図である。
【発明を実施するための形態】
【実施例１】
【００１２】
図１は、画像読取装置１の模式図である。
図１に例示するように、画像読取装置１は、タッチパネル５と、画像読取部７とを有し、図２を用いて後述するヘルプ表示制御プログラム１００がインストールされている。
タッチパネル５は、ヘルプ表示制御プログラム１００により実現される機能により、主に操作画面とヘルプ画面とを表示する。また、タッチパネル５は、ユーザによるタッチ操作により、画像読取装置１を操作する。
画像読取部７は、タッチパネル５を介したユーザによるタッチ操作により、情報表示媒体９をローラーで機械的に筐体内部に送りながら、光学的に情報表示媒体９を表わす画像データを読み取る。なお、画像読取部７は、本図のようなフィード式に限定するものではなく、情報表示媒体９をガラス台に固定し、光学的に走査して読み取るフラットベッド式であってもよい。また、情報表示媒体９は、情報を表示する薄いシート状の媒体であり、例えば、情報が表記された紙又はフィルムなどであればよい。
【００１３】
図２は、ヘルプ表示制御プログラム１００の機能構成を例示する図である。
図２に例示するように、ヘルプ表示制御プログラム１００は、入力部１０２と、操作画面表示部１０４と、ヘルプＩ／Ｆ部１０６と、ヘルプ制御部１０８と、ヘルプ画面表示部１１４とを有する。また、ヘルプ表示制御プログラム１００は、ヘルプマップデータベース（ヘルプマップＤＢ）１１０と、ヘルプ情報データベース（ヘルプ情報ＤＢ）１１２の読み書きを行う。
なお、ヘルプ表示制御プログラム１００の一部又は全部の構成部を、ＡＳＩＣ等のハードウェアにより実現してもよい。
以下、本図に示される各構成について説明する。
【００１４】
入力部１０２は、ユーザからの入力を、キーボード、マウス、又はタッチパネルなどの各種入力機器を用いて受け付ける。
【００１５】
操作画面表示部１０４は、ユーザの入力を受け付けるための操作画面を表示する。
本例では、操作画面表示部１０４は、入力部１０２により受け付けられたユーザの入力に応じて、表示する操作画面を遷移させる。そして、操作画面表示部１０４は、操作画面の遷移をヘルプＩ／Ｆ部１０６に通知する。ここで、画面遷移（操作画面の遷移など）とは、画面の切替を意味し、例えば、スクロール操作によるページの切替や、クリック操作に応じたリンク先へのジャンプ、などを含む。
【００１６】
ヘルプＩ／Ｆ部１０６は、操作画面表示部１０４により表示される操作画面に関連付けられたヘルプ識別情報（以下、「ヘルプＩＤ」という。）を、ヘルプ制御部１０８に通知する。
本例では、ヘルプＩ／Ｆ部１０６は、操作画面表示部１０４からの操作画面の遷移の通知を受けて、遷移した操作画面に関連付けられたヘルプＩＤをヘルプ制御部１０８に通知する。
【００１７】
ヘルプ制御部１０８は、ヘルプＩ／Ｆ部１０６から通知されたヘルプＩＤに基づき、ヘルプ情報を取得する。
本例では、ヘルプ制御部１０８は、ヘルプＩ／Ｆ部１０６から通知されたヘルプＩＤに基づき、まず、ヘルプマップＤＢ１１０からヘルプ情報を取得するためのヘルプ取得情報を取得する。そして、ヘルプ制御部１０８は、ヘルプマップＤＢ１１０から取得したヘルプ取得情報に基づき、ヘルプ情報ＤＢ１１２からヘルプ情報を取得する。なお、ヘルプ情報ＤＢ１１２は、通信ネットワークを介した外部ストレージなどに格納されてもよい。
【００１８】
ヘルプマップＤＢ１１０は、図３に例示するように、データ項目として、ヘルプＩＤと、ヘルプ取得情報とを有する。
ヘルプＩＤは、操作画面に関連付けられたヘルプ画面を一意に特定するための識別情報である。例えば、ヘルプＩＤは、文字、数字、又は記号などを組み合わせて表わされる。
ヘルプ取得情報は、ヘルプ情報ＤＢ１１２からヘルプ情報を取得するための情報である。
本例ではヘルプ取得情報は、ヘルプ情報ＤＢ１１２の格納先（ＩＰアドレス及び格納パスなど）と、ヘルプ情報を一意に特定するためのヘルプ情報ＩＤとからなる。
【００１９】
ヘルプ情報ＤＢ１１２は、図４に例示するように、データ項目として、ヘルプ情報ＩＤと、ヘルプ情報とを有する。
ヘルプ情報ＩＤは、ヘルプ情報を一意に特定するための識別情報である。例えば、ヘルプ情報ＩＤは、文字、数字、又は記号などを組み合わせて表わされる。
ヘルプ情報は、操作画面の使用方法を説明するテキスト、画像又は音声などである。
【００２０】
ヘルプ画面表示部１１４は、操作画面表示部１０４により表示された操作画面に応じて、この操作画面に関するヘルプを表示する。
本例では、ヘルプ画面表示部１１４は、ヘルプ制御部１０８により取得されたヘルプ情報を、操作画面表示部１０４により表示された操作画面とは別のヘルプ画面に表示する。
【００２１】
以上説明したヘルプ表示制御プログラム１００をコンピュータにインストールすることにより、コンピュータは、ヘルプ表示制御プログラム１００により実現される機能を有し、ヘルプ表示制御装置若しくは画像読取装置１として動作する。
【００２２】
図５は、ヘルプ表示制御処理Ｓ１０のフローチャートである。
図５に例示するように、ステップ１００（Ｓ１００）において、操作画面表示部１０４は、入力部１０２が受け付けた入力により、操作画面の遷移があるか否かを判定する。ヘルプ表示制御プログラム１００は、操作画面の遷移があれば、Ｓ１０２に移行し、操作画面の遷移がなければ、Ｓ１００を繰り返す。
【００２３】
ステップ１０２（Ｓ１０２）において、操作画面表示部１０４は、操作画面の遷移をヘルプＩ／Ｆ部１０６に通知する。
【００２４】
ステップ１０４（Ｓ１０４）において、ヘルプＩ／Ｆ部１０６は、操作画面表示部１０４からの操作画面の遷移の通知を受けて、遷移した操作画面に関連付けられたヘルプＩＤをヘルプ制御部１０８に通知する。
【００２５】
ステップ１０６（Ｓ１０６）において、ヘルプ制御部１０８は、ヘルプＩ／Ｆ部１０６から通知されたヘルプＩＤに基づき、ヘルプマップＤＢ１１０からヘルプ情報を取得するためのヘルプ取得情報を取得する。
【００２６】
ステップ１０８（Ｓ１０８）において、ヘルプ制御部１０８は、ヘルプマップＤＢ１１０から取得したヘルプ取得情報に基づき、ヘルプ情報ＤＢ１１２からヘルプ情報を取得する。
【００２７】
ステップ１１０（Ｓ１１０）において、ヘルプ画面表示部１１４は、ヘルプ制御部１０８により取得されたヘルプ情報を、操作画面表示部１０４により表示された操作画面とは別のヘルプ画面に表示する。
【００２８】
図６は、画像読取装置１により表示される画面の遷移を説明する図である。
図６に例示するように、画像読取装置１は、まず、ユーザの入力を受け付ける操作画面Ａ１０を表示する。操作画面Ａ１０上には、ヘルプ画面を表示するための「ヘルプを開く」ボタン１２が配置されている。
次に、ユーザにより「ヘルプを開く」ボタン１２が押下されると、画像読取装置１は、画面全体を上下に分割し、画面全体の上部に操作画面Ａ１０を、そしてヘルプのタイトルＡ２２を挟んで、画面全体の下部にヘルプ画面Ａ２０を表示する。操作画面Ａ１０上には、「ヘルプを開く」ボタン１２に替わって、「ヘルプを閉じる」ボタン１４が表示される。「ヘルプを閉じる」ボタン１４が押下されると、画像読取装置１は、ヘルプ画面Ａ２０を閉じ、画面を操作画面Ａ１０のみが表示されている状態に戻す。なお、ヘルプ画面Ａ２０は、画面全体の上部に表示されている操作画面Ａ１０の使用方法を説明するテキスト又は画像など（以下、「ヘルプ」という。）を表示する。また、タイトルＡ２２は、ヘルプ画面Ａ２０に表示されるヘルプの内容を反映したものであり、ヘルプ画面Ａ２０に表示されるヘルプの内容に応じて切り替わる。
次に、操作画面Ａ１０においてユーザから受け付けた入力などにより、操作画面Ａ１０が操作画面Ｂ３０に遷移したとき、画像読取装置１は、ヘルプ画面Ａ２０を操作画面Ｂ３０の使用方法を説明するヘルプを表示するヘルプ画面Ｂ４０に遷移させる。また、タイトルＢ４２も、ヘルプ画面Ｂ４０に表示されるヘルプの内容を反映したものとなる。
【００２９】
このように、画像読取装置１は、操作画面の遷移に応じて、現在表示されている操作画面の使用方法を説明するヘルプを表示するヘルプ画面を、ユーザが操作画面と同時に視認できる形態で表示する。
なお、本図に示されている画面は、これに限定するものではなく、例えば、縦方向へ左右に分割したり、又は画面の一部の領域をヘルプ画面として表示したりしてもよい。
【００３０】
以上説明した構成及び動作によれば、画像読取装置１は、ユーザの入力により遷移する操作画面に応じたヘルプを自動的に表示することができる。このとき、画像読取装置１は、操作画面と同時に視認できる形態でヘルプを表示するため、ユーザは操作画面における入力を邪魔されることがない。つまり、ユーザは、従来のように操作を確認するため、いちいちヘルプ画面に切り替える必要がなく、ヘルプを参照しながら操作画面において効率的に入力を行うことができる。
【００３１】
［変形例１］
上記実施例では、１つの画面を複数に分割し、分割された一部の画面にヘルプを表示したが、これに限定するものではなく、例えば、１つの画面に互いに重なり合うことが可能な複数のウィンドウを表示し、１つのウィンドウにヘルプを表示してもよいし、又は物理的に分離可能な複数の画面の１つにヘルプを表示してもよい。
【００３２】
［変形例２］
図７は、変形例２における、ヘルプ表示制御プログラム２００及びリモート端末プログラム３００の機能構成を例示する図である。
図７に例示するように、ヘルプ表示制御プログラム２００は、画面情報配信部２０２と、ヘルプＩ／Ｆ部２０４と、ヘルプ制御部２０６とを有する。また、ヘルプ表示制御プログラム２００は、ヘルプマップデータベース（ヘルプマップＤＢ）２０８と、ヘルプ情報データベース（ヘルプ情報ＤＢ）２１０の読み書きを行う。
リモート端末プログラム３００は、入力部３０２と、操作画面表示部３０４と、ヘルプ画面表示部３０６とを有する。
なお、ヘルプ表示制御プログラム２００及びリモート端末プログラム３００の一部又は全部の構成部を、ＡＳＩＣ等のハードウェアにより実現してもよい。
以下、本図に示される各構成について説明する。
【００３３】
ヘルプ表示制御プログラム２００において、画面情報配信部２０２は、リモート端末プログラム３００における操作画面表示部３０４からの要求に応じて、操作画面及びヘルプ画面の情報を通信ネットワークを介して配信する。
本例では、画面情報配信部２０２は、操作画面表示部３０４からの要求に応じて、配信する操作画面が遷移したことをヘルプＩ／Ｆ部２０４に通知する。また、画面情報配信部２０２は、要求のあった操作画面の配信に伴って、ヘルプ制御部２０６により取得されたヘルプ情報を、ヘルプ画面の情報として配信する。
【００３４】
ヘルプＩ／Ｆ部２０４は、画面情報配信部２０２により配信される操作画面に関連付けられたヘルプＩＤを、ヘルプ制御部２０６に通知する。
本例では、ヘルプＩ／Ｆ部２０４は、画面情報配信部２０２からの操作画面の遷移の通知を受けて、遷移した操作画面に関連付けられたヘルプＩＤをヘルプ制御部２０６に通知する。
【００３５】
ヘルプ制御部２０６は、ヘルプＩ／Ｆ部２０４から通知されたヘルプＩＤに基づき、ヘルプ情報を取得する。
本例では、ヘルプ制御部２０６は、ヘルプＩ／Ｆ部２０４から通知されたヘルプＩＤに基づき、まず、ヘルプマップＤＢ２０８からヘルプ情報を取得するためのヘルプ取得情報を取得する。そして、ヘルプ制御部２０６は、ヘルプマップＤＢ２０８から取得したヘルプ取得情報に基づき、ヘルプ情報ＤＢ２１０からヘルプ情報を取得する。なお、ヘルプマップＤＢ２０８及びヘルプ情報ＤＢ２１０は、図２に示したヘルプマップＤＢ１１０及びヘルプ情報ＤＢ１１２と同じである。
【００３６】
リモート端末プログラム３００において、入力部３０２は、ユーザからの入力を、キーボード、マウス、又はタッチパネルなどの各種入力機器を用いて受け付ける。
【００３７】
操作画面表示部３０４は、ヘルプ表示制御プログラム２００における画面情報配信部２０２から配信された、ユーザの入力を受け付けるための操作画面を表示する。
本例では、操作画面表示部３０４は、入力部３０２により受け付けられたユーザの入力に応じて、画面情報配信部２０２に操作画面の配信を要求し、画面情報配信部２０２から配信された操作画面を表示する。また、操作画面表示部３０４は、画面情報配信部２０２から操作画面に伴って配信されるヘルプ情報をヘルプ画面表示部３０６に渡す。
【００３８】
ヘルプ画面表示部３０６は、操作画面表示部３０４から受け取ったヘルプ情報を、操作画面表示部３０４により表示された操作画面とは別のヘルプ画面に表示する。
【００３９】
以上説明したヘルプ表示制御プログラム２００及びリモート端末プログラム３００をそれぞれコンピュータにインストールすることにより、コンピュータは、ヘルプ表示制御プログラム２００及びリモート端末プログラム３００により実現される機能を有し、ヘルプ表示制御装置若しくは画像読取装置１、及びリモート端末として動作する。
このような構成とすることにより、リモート端末は、通信ネットワークを介してヘルプ表示制御装置若しくは画像読取装置１から配信されてくる操作画面と、この操作画面の使用方法を説明するヘルプとを同時に表示することができる。また、リモート端末は、ヘルプ表示制御装置若しくは画像読取装置１から配信されてくる操作画面の遷移に応じて、遷移した操作画面に対応するヘルプに自動的に切り替えて表示することができる。
【００４０】
［変形例３］
図８は、変形例３における、画像読取装置１により表示される画面の遷移を説明する図である。
図８に例示するように、画像読取装置１は、まず、ユーザの入力を受け付ける操作画面Ｃ４１０を表示する。操作画面Ｃ４１０上には、参照画面を表示するための「参照画面を開く」ボタン４１２が配置されている。なお、操作画面Ｃは、遷移していく複数の操作画面の一つである。このような複数の操作画面（参照画面）は、互いに関連付けられた一連の操作画面であり、ユーザの遷移操作に応じて、順に表示される画面群である。
次に、ユーザにより「参照画面を開く」ボタン４１２が押下されると、画像読取装置１は、画面全体を上下に分割し、画面全体の上部に操作画面Ｃ４１０を、そして参照画面のタイトル４２２を挟んで、画面全体の下部に参照画面４２０を表示する。操作画面Ｃ４１０上には、「参照画面を開く」ボタン４１２に替わって、「参照画面を閉じる」ボタン４１４が表示される。参照画面を閉じる」ボタン４１４が押下されると、画像読取装置１は、参照画面４２０を閉じ、画面を操作画面Ｃ４１０のみが表示されている状態に戻す。参照画面４２０は、画面全体の上部に表示されている操作画面Ｃ４１０以外の操作画面のスクリーンショットＡ４３０、Ｂ４３２、Ｄ４３４、及びＥ４３６を表わす。なお、スクリーンショットＡ４３０、Ｂ４３２、Ｄ４３４、及びＥ４３６は、参照画面４２０において、スクロールバー４２４を操作することにより、一通り表示される。
次に、操作画面Ｃ４１０においてユーザから受け付けた入力などにより、操作画面Ｃ４１０が他の操作画面に遷移したとき、画像読取装置１は、遷移した他の操作画面以外の操作画面のスクリーンショットを表わす参照画面を表示する。
【００４１】
かかる画面の遷移を実現するために、ヘルプ制御部１０８は、ヘルプＩ／Ｆ部１０６から通知されたヘルプＩＤに基づき、ヘルプ情報に代えて現在表示される操作画面以外の操作画面を表示するための参照情報を取得する。そして、ヘルプ画面表示部１１４は、ヘルプ制御部１０８により取得された参照情報を、操作画面表示部１０４により表示された操作画面とは別の参照画面に表示する。
【００４２】
以上説明した構成及び動作によれば、画像読取装置１は、ユーザの入力により遷移する操作画面に応じた参照画面を自動的に表示することができる。このとき、ユーザは、過去に入力した情報などを参照画面で確認しながら、現在の操作画面において入力を行うことができる。このため、ユーザは、過去の入力を参照しながら進める操作入力においては、いちいち過去の操作画面を表示させる手間がなくなり、操作画面における入力を効率的に進めることができる。
【００４３】
［変形例４］
図９は、変形例４における、ヘルプ表示制御プログラム５００の機能構成を例示する図である。
図９に例示するように、ヘルプ表示制御プログラム５００は、図２に示したヘルプ表示制御プログラム１００のヘルプ制御部１０８をヘルプ制御部５０８に、ヘルプ画面表示部１１４をヘルプ画面表示部５１４に置き換え、さらにカウント部５１６を追加したものである。また、ヘルプ表示制御プログラム５００は、さらにカウントデータベース（カウントＤＢ）５１８の読み書きを行う。
なお、ヘルプ表示制御プログラム５００の一部又は全部の構成部を、ＡＳＩＣ等のハードウェアにより実現してもよい。
以下、本図に示される各構成のうち、図２に示したヘルプ表示制御プログラム１００と異なる部分について説明する。
【００４４】
ヘルプ制御部５０８は、ヘルプＩ／Ｆ部１０６から通知されたヘルプＩＤに基づき、ヘルプ情報を取得する。
本例では、ヘルプ制御部５０８は、ヘルプＩ／Ｆ部１０６から通知されたヘルプＩＤに基づき、まず、ヘルプマップＤＢ１１０からヘルプ情報を取得するためのヘルプ取得情報を取得する。そして、ヘルプ制御部５０８は、ヘルプマップＤＢ１１０から取得したヘルプ取得情報に基づき、ヘルプ情報ＤＢ１１２からヘルプ情報を取得する。
さらに、本例では、ヘルプ制御部５０８は、どの操作画面が表示されたかを示すため、ヘルプ情報の取得に用いたヘルプＩＤをヘルプ画面表示部５１４に通知する。
【００４５】
ヘルプ画面表示部５１４は、操作画面表示部１０４により表示された操作画面に応じて、この操作画面に関するヘルプを表示する。その際に、ヘルプ画面表示部５１４は、カウント部５１６によりカウントされた表示回数に応じて、ヘルプ画面の表示サイズを変更する。
本例では、ヘルプ画面表示部５１４は、ヘルプ制御部１０８により取得されたヘルプ情報を、操作画面表示部１０４により表示された操作画面とは別のヘルプ画面に表示する。
さらに、本例では、ヘルプ画面表示部５１４は、ヘルプ制御部５０８から通知されたヘルプＩＤに基づき、カウント部５１６に操作画面の表示回数をカウントさせる。そして、ヘルプ画面表示部５１４は、カウントＤＢ５１８を参照して、ヘルプＩＤにより特定される操作画面の表示回数に基づき、ヘルプ画面を縮小して表示する。このとき、例えば、操作画面の表示回数が所定回数以上になる毎に、ヘルプ画面表示部５１４は、ヘルプ画面の縮小率を大きく変更していってもよい。
【００４６】
カウント部５１６は、各操作画面の表示回数、又は、各ヘルプ画面の表示回数をカウントする。
本例では、カウント部５１６は、ヘルプ制御部５０８から通知されたヘルプＩＤに基づき、各操作画面の表示回数をカウントする。そして、カウント部５１６は、カウントした各操作画面の表示回数を、ヘルプＩＤに関連付けてカウントＤＢ５１８に格納する。
【００４７】
カウントＤＢ５１８は、図１０に例示するように、データ項目として、ヘルプＩＤと、表示回数とを有する。
ヘルプＩＤは、図３に示したヘルプマップＤＢ１１０のヘルプＩＤと同じである。
表示回数は、各操作画面が操作画面表示部１０４により表示された回数を表わす。
【００４８】
以上説明したヘルプ表示制御プログラム５００をコンピュータにインストールすることにより、コンピュータは、ヘルプ表示制御プログラム５００により実現される機能を有し、ヘルプ表示制御装置又は画像読取装置１として動作する。
【００４９】
図１０は、変形例４における、画像読取装置１により表示される画面の遷移を説明する図である。
図１０に例示するように、画像読取装置１は、操作画面Ａ１０が所定回数（本例では、５回）表示されるたびに、ヘルプ画面２０上に表わされるヘルプを縮小して表示する。
【００５０】
以上説明した構成及び動作によれば、画像読取装置１は、ユーザに対して操作画面を所定回数以上表示するごとに、この操作画面に応じたヘルプの表示を縮小し、小さくしていく。このようにすることで、画像読取装置１は、ユーザの操作画面を操る習熟度に応じて、より一覧性のあるヘルプを表示することができる。また、ユーザは、操作画面を操る習熟度が増せば、あまりヘルプを必要としなくなっていくことから、画像読取装置１は、操作画面の表示回数が所定回数以上に達したとき、ヘルプを自動的に非表示にしてもよい。
【００５１】
［その他変形例］
上記実施例の画像読取装置１を画像印刷装置に置き換えてもよい。この場合、画像印刷装置は、画像読取装置１の画像読取部７に代えて、画像データを印刷する印刷部を有する。
【符号の説明】
【００５２】
１      画像読取装置
５      タッチパネル
７      画像読取部
９      情報表示媒体
１０    操作画面Ａ
１２    「ヘルプを開く」ボタン
１４    「ヘルプを閉じる」ボタン
２０    ヘルプ画面Ａ
２２    タイトルＡ
３０    操作画面Ｂ
４２    タイトルＢ
４０    ヘルプ画面Ｂ
１００  ヘルプ表示制御プログラム
１０２  入力部
１０４  操作画面表示部
１０６  ヘルプＩ／Ｆ部
１０８  ヘルプ制御部
１１０  ヘルプマップＤＢ
１１２  ヘルプ情報ＤＢ
１１４  ヘルプ画面表示部
２００  ヘルプ表示制御プログラム（変形例２）
２０２  画面情報配信部
２０４  ヘルプＩ／Ｆ部（変形例２）
２０６  ヘルプ制御部（変形例２）
２０８  ヘルプマップＤＢ（変形例２）
２１０  ヘルプ情報ＤＢ（変形例２）
３００  リモート端末プログラム
３０２  入力部（変形例２）
３０４  操作画面表示部（変形例２）
３０６  ヘルプ画面表示部（変形例２）
４１０  操作画面Ｃ
４１２  「参照画面を開く」ボタン
４１４  「参照画面を閉じる」ボタン
４２０  参照画面
４２２  タイトル
４２４  スクロールバー
４３０  スクリーンショットＡ
４３２  スクリーンショットＢ
４３４  スクリーンショットＤ
４３６  スクリーンショットＥ
５００  ヘルプ表示制御プログラム（変形例４）
５０８  ヘルプ制御部（変形例４）
５１４  ヘルプ画面表示部（変形例４）
５１６  カウント部
５１８  カウントＤＢ
【図１】
2011248481.tif 000003
【図２】
2011248481.tif 000004
【図３】
2011248481.tif 000005
【図４】
2011248481.tif 000006
【図５】
2011248481.tif 000007
【図６】
2011248481.tif 000008
【図７】
2011248481.tif 000009
【図８】
2011248481.tif 000010
【図９】
2011248481.tif 000011
【図１０】
2011248481.tif 000012
【図１１】
2011248481.tif 000013